(57)【要約】【課題】事前登録が不要な暗証番号（暗証情報）を用いて鍵の施錠開錠を行い、かつ、開錠操作が必要な相手に該暗証番号を正確かつ確実に通知する施錠開錠システムを提供する。【解決手段】暗証番号を番号入力装置３１から入力した利用者が携帯電話機１０を鍵開閉装置３０にかざすと、入力した暗証番号は非接触ＩＣチップ通信機能３２から携帯電話機１０の非接触ＩＣタグ１１を介して鍵交換機能１２に転送されて保存され、かつ、施錠開錠装置３４の鍵を施錠する。または、暗証番号を入力または保存した携帯電話機１０を鍵開閉装置３０にかざすと、携帯電話機１０から暗証番号が読み取られ、施錠開錠装置３４の鍵を施錠する。携帯電話機１０に保存した暗証番号は暗証番号送受信機能１３から開錠者が持つ他の携帯電話機２０の鍵交換機能２２に転送することにより、該携帯電話機２０、携帯電話機１０を鍵開閉装置３０にかざすと、施錠開錠装置３４の鍵が開錠される。【選択図】        図１
2010209527.tif 000002
【特許請求の範囲】
【請求項１】
暗証情報を用いて鍵開閉装置内の鍵を開閉する施錠開錠システムにおいて、前記鍵開閉装置に暗証情報を入力する暗証情報入力手段と近距離通信を行う装置側通信手段とを備え、かつ、利用者の携帯端末に当該鍵開閉装置の前記装置側通信手段と近距離通信を行う端末側通信手段を備え、利用者により前記暗証情報入力手段から入力された暗証情報により前記鍵を開閉するとともに、前記鍵の施錠時には、入力された前記暗証情報を、前記装置側通信手段を介して、前記利用者の所持する前記携帯端末に転送することを特徴とする施錠開錠システム。
【請求項２】
暗証情報を用いて鍵開閉装置内の鍵を開閉する施錠開錠システムにおいて、前記鍵開閉装置に近距離通信を行う装置側通信手段を備え、かつ、利用者の携帯端末に当該鍵開閉装置の前記装置側通信手段と近距離通信を行う端末側通信手段を備え、利用者により前記携帯端末に入力された暗証情報、または、前記携帯端末に保持されている暗証情報を、前記端末側通信手段を介して、前記鍵開閉装置に転送することにより、当該鍵開閉装置内の鍵を開閉することを特徴とする施錠開錠システム。
【請求項３】
前記鍵開閉装置に利用者からの指示によりランダムな暗証情報を生成する暗証情報生成手段を備え、当該鍵開閉装置内の鍵の施錠時に、利用者からの指示により前記暗証情報生成手段により生成された暗証情報により前記鍵を施錠するとともに、生成された前記暗証情報を、前記装置側通信手段を介して、前記利用者の所持する前記携帯端末に転送することを特徴とする請求項１または２に記載の施錠開錠システム。
【請求項４】
前記携帯端末に利用者からの指示によりランダムな暗証情報を生成する暗証情報生成手段を備え、前記鍵開閉装置内の鍵の施錠時に、利用者からの指示により前記暗証情報生成手段により生成された暗証情報を、前記端末側通信手段を介して、前記鍵開閉装置に転送することにより、当該鍵開閉装置内の鍵を施錠することを特徴とする請求項１ないし３のいずれかに記載の施錠開錠システム。
【請求項５】
前記携帯端末は、他の携帯端末と通信する携帯端末間通信手段を備え、前記鍵開閉装置から転送されてきた暗証情報または当該携帯端末に入力した暗証情報または当該携帯端末にてランダムに生成された暗証情報または当該携帯端末に保持されている暗証情報を、当該携帯端末の利用者が開錠者としてあらかじめ指定した他の利用者の携帯端末に対して、前記携帯端末間通信手段を用いて転送することを特徴とする請求項１ないし４のいずれかに記載の施錠開錠システム。
【請求項６】
前記携帯端末間通信手段として、電子メール機能またはプッシュメッセージ機能を用いることを特徴とする請求項５に記載の施錠開錠システム。
【請求項７】
前記鍵開閉装置は、鍵の施錠時に前記暗証情報入力手段から入力された暗証情報またはランダムに生成された暗証情報または前記携帯端末から転送されてきた暗証情報を保存し、鍵の開錠の際に前記暗証情報入力手段から入力された暗証情報または前記携帯端末から転送されてきた暗証情報と、保存している前記暗証情報とを照合し、一致している場合には、当該鍵開閉装置内の鍵を開錠することを特徴とする請求項１ないし６のいずれかに記載の施錠開錠システム。
【請求項８】
前記携帯端末から前記端末側通信手段を介して前記鍵開閉装置に転送する暗証情報が、前記鍵開閉装置内の鍵の開閉に必要とする暗証情報の一部であり、残りの暗証情報を利用者が当該鍵開閉装置の暗証情報入力手段から入力することを特徴とする請求項１ないし７のいずれかに記載の施錠開錠システム。
【請求項９】
前記鍵開閉装置と前記携帯端末との間で近距離通信を行う通信方式として、非接触ＩＣタグ通信方式、Ｂｌｕｅｔｏｏｔｈ通信方式、ＩｒＤＡ（Infrared  Data  Association）通信方式、ＵＷＢ（Ultra  Wide  Band）通信方式、Ｚｉｇｂｅｅ通信方式のいずれかを用いることを特徴とする請求項１ないし８のいずれかに記載の施錠開錠システム。
【請求項１０】
前記携帯端末が、携帯電話機、ＰＨＳ（Personal  Handy−Phone  System）端末、ＰＤＡ（Personal  Digital  Assistants：携帯情報端末）、携帯ノートＰＣ（Personal  Computer）のいずれかであることを特徴とする請求項１ないし９のいずれかに記載の施錠開錠システム。
【請求項１１】
暗証情報を用いて鍵を開閉する鍵開閉装置との間で近距離通信を行う端末側通信手段を備えた携帯端末において、前記鍵開閉装置から転送されてくる前記暗証情報を前記端末側通信手段により受信して保持することを特徴とする携帯端末。
【請求項１２】
暗証情報を用いて鍵を開閉する鍵開閉装置との間で近距離通信を行う端末側通信手段を備えた携帯端末において、前記鍵開閉装置内の鍵を開閉する際に、利用者により入力された暗証情報、または、当該携帯端末に保持されている暗証情報を、前記端末側通信手段を介して、前記鍵開閉装置に転送することを特徴とする携帯端末。
【請求項１３】
利用者からの指示によりランダムな暗証情報を生成する暗証情報生成手段を備え、前記鍵開閉装置内の鍵の施錠時に、利用者からの指示により前記暗証情報生成手段により生成された暗証情報を、保持するとともに、前記端末側通信手段を介して、前記鍵開閉装置に転送することを特徴とする請求項１１または１２に記載の携帯端末。
【請求項１４】
他の携帯端末と通信する携帯端末間通信手段を備え、前記鍵開閉装置から転送されてきた暗証情報または当該携帯端末に入力した暗証情報または当該携帯端末にてランダムに生成された暗証情報または当該携帯端末に保持されている暗証情報を、当該携帯端末の利用者が開錠者としてあらかじめ指定した他の利用者の携帯端末に対して、前記携帯端末間通信手段を用いて転送することを特徴とする請求項１１ないし１３のいずれかに記載の携帯端末。
【請求項１５】
前記携帯端末間通信手段として、電子メール機能またはプッシュメッセージ機能を用いることを特徴とする請求項１４に記載の携帯端末。
【請求項１６】
前記鍵開閉装置との間で近距離通信を行う通信方式として、非接触ＩＣタグ通信方式、Ｂｌｕｅｔｏｏｔｈ通信方式、ＩｒＤＡ（Infrared  Data  Association）通信方式、ＵＷＢ（Ultra  Wide  Band）通信方式、Ｚｉｇｂｅｅ通信方式のいずれかを用いることを特徴とする請求項１１ないし１５のいずれかに記載の携帯端末。
【請求項１７】
当該携帯端末が、携帯電話機、ＰＨＳ（Personal  Handy−Phone  System）端末、ＰＤＡ（Personal  Digital  Assistants：携帯情報端末）、携帯ノートＰＣ（Personal  Computer）のいずれかであることを特徴とする請求項１１ないし１６のいずれかに記載の携帯端末。
【請求項１８】
暗証情報を用いて鍵を開閉する鍵開閉装置において、暗証情報を入力する暗証情報入力手段と近距離通信を行う装置側通信手段とを備え、利用者により前記暗証情報入力手段から入力された暗証情報により前記鍵を開閉するとともに、前記鍵の施錠時には、入力された前記暗証情報を、前記装置側通信手段を介して、前記利用者の所持する携帯端末に転送することを特徴とする鍵開閉装置。
【請求項１９】
暗証情報を用いて鍵を開閉する鍵開閉装置において、前記鍵開閉装置に近距離通信を行う装置側通信手段を備え、前記装置側通信手段を介して転送されてきた暗証情報により、当該鍵開閉装置内の鍵を開閉することを特徴とする鍵開閉装置。
【請求項２０】
利用者からの指示によりランダムな暗証情報を生成する暗証情報生成手段を備え、当該鍵開閉装置内の鍵の施錠時に、利用者からの指示により前記暗証情報生成手段により生成された暗証情報により前記鍵を施錠するとともに、生成された前記暗証情報を、前記装置側通信手段を介して、前記利用者の所持する携帯端末に転送することを特徴とする請求項１８または１９に記載の鍵開閉装置。
【請求項２１】
鍵の施錠時に前記暗証情報入力手段から入力された暗証情報またはランダムに生成された暗証情報または前記装置側通信手段を介して転送されてきた暗証情報を保存し、鍵の開錠の際に前記暗証情報入力手段から入力された暗証情報または前記装置側通信手段を介して転送されてきた暗証情報と、保存している前記暗証情報とを照合し、一致している場合には、当該鍵開閉装置内の鍵を開錠することを特徴とする請求項１８ないし２０のいずれかに記載の鍵開閉装置。
【請求項２２】
前記装置側通信手段を介して転送されてくる暗証情報が、当該鍵開閉装置内の鍵の開閉に必要とする暗証情報の一部であり、残りの暗証情報を利用者が当該鍵開閉装置の暗証情報入力手段から入力することを特徴とする請求項１８ないし２１のいずれかに記載の鍵開閉装置。
【請求項２３】
前記装置側通信手段により近距離通信を行う通信方式として、非接触ＩＣタグ通信方式、Ｂｌｕｅｔｏｏｔｈ通信方式、ＩｒＤＡ（Infrared  Data  Association）通信方式、ＵＷＢ（Ultra  Wide  Band）通信方式、Ｚｉｇｂｅｅ通信方式のいずれかを用いることを特徴とする請求項１８ないし２２のいずれかに記載の鍵開閉装置。
【請求項２４】
暗証情報を用いて鍵開閉装置内の鍵を開閉する施錠開錠方法であって、利用者により前記鍵開閉装置に入力された暗証情報により前記鍵を開閉するとともに、前記鍵の施錠時には、入力された前記暗証情報を近距離通信方式により前記利用者の所持する携帯端末に転送することを特徴とする施錠開錠方法。
【請求項２５】
暗証情報を用いて鍵開閉装置内の鍵を開閉する施錠開錠方法であって、利用者により携帯端末に入力された暗証情報、または、前記携帯端末に保持されている暗証情報を、近距離通信方式により前記鍵開閉装置に転送することにより、当該鍵開閉装置内の鍵を開閉することを特徴とする施錠開錠方法。
【請求項２６】
前記鍵開閉装置内の鍵の施錠時に、利用者からの指示により当該鍵開閉装置内でランダムに生成された暗証情報により前記鍵を施錠するとともに、生成された前記暗証情報を、近距離通信方式により前記利用者の所持する前記携帯端末に転送することを特徴とする請求項２４または２５に記載の施錠開錠方法。
【請求項２７】
前記鍵開閉装置内の鍵の施錠時に、利用者からの指示により当該利用者の前記携帯端末内でランダムに生成された暗証情報を、近距離通信方式により前記鍵開閉装置に転送することにより、当該鍵開閉装置内の鍵を施錠することを特徴とする請求項２４ないし２６のいずれかに記載の施錠開錠方法。
【請求項２８】
前記携帯端末は、前記鍵開閉装置から転送されてきた暗証情報または当該携帯端末に入力した暗証情報または当該携帯端末にてランダムに生成された暗証情報または当該携帯端末に保持されている暗証情報を、当該携帯端末の利用者が開錠者としてあらかじめ指定した他の利用者の携帯端末に対して、携帯端末間通信方式により転送することを特徴とする請求項２４ないし２８のいずれかに記載の施錠開錠方法。
【請求項２９】
前記携帯端末間通信方式として、電子メール方式またはプッシュメッセージ方式を用いることを特徴とする請求項２８に記載の施錠開錠方法。
【請求項３０】
前記鍵開閉装置は、鍵の施錠時に入力された暗証情報またはランダムに生成された暗証情報または前記携帯端末から転送されてきた暗証情報を保存し、鍵の開錠の際に入力された暗証情報または前記携帯端末から転送されてきた暗証情報と、保存している前記暗証情報とを照合し、一致している場合には、当該鍵開閉装置内の鍵を開錠することを特徴とする請求項２４ないし２９のいずれかに記載の施錠開錠方法。
【請求項３１】
前記携帯端末から近距離通信方式により前記鍵開閉装置に転送する暗証情報が、前記鍵開閉装置内の鍵の開閉に必要とする暗証情報の一部であり、残りの暗証情報を利用者が当該鍵開閉装置に入力することを特徴とする請求項２４ないし３０のいずれかに記載の施錠開錠方法。
【請求項３２】
前記鍵開閉装置と前記携帯端末との間の近距離通信方式として、非接触ＩＣタグ通信方式、Ｂｌｕｅｔｏｏｔｈ通信方式、ＩｒＤＡ（Infrared  Data  Association）通信方式、ＵＷＢ（Ultra  Wide  Band）通信方式、Ｚｉｇｂｅｅ通信方式のいずれかを用いることを特徴とする請求項２４ないし３１のいずれかに記載の施錠開錠方法。
【請求項３３】
暗証情報を用いて鍵を開閉する鍵開閉装置に対して近距離通信方式により鍵の開閉を指示する携帯端末の施錠開錠指示プログラムにおいて、前記鍵開閉装置から近距離通信方式により転送されてくる前記暗証情報を受信して保持することを特徴とする施錠開錠指示プログラム。
【請求項３４】
暗証情報を用いて鍵を開閉する鍵開閉装置に対して近距離通信方式により鍵の開閉を指示する携帯端末の施錠開錠指示プログラムにおいて、前記鍵開閉装置内の鍵を開閉する際に、利用者により入力された暗証情報、または、当該携帯端末に保持されている暗証情報を、近距離通信方式により前記鍵開閉装置に転送することを特徴とする施錠開錠指示プログラム。
【請求項３５】
前記鍵開閉装置内の鍵の施錠時に、利用者からの指示によりランダムに生成された暗証情報を、保持するとともに、近距離通信方式により前記鍵開閉装置に転送することを特徴とする請求項３３または３４に記載の施錠開錠指示プログラム。
【請求項３６】
前記鍵開閉装置から転送されてきた暗証情報または当該携帯端末に入力した暗証情報または当該携帯端末にてランダムに生成された暗証情報または当該携帯端末に保持されている暗証情報を、当該携帯端末の利用者が開錠者としてあらかじめ指定した他の利用者の携帯端末に対して、携帯端末間通信方式により転送することを特徴とする請求項３３ないし３５のいずれかに記載の施錠開錠指示プログラム。
【請求項３７】
前記携帯端末間通信方式として、電子メール方式またはプッシュメッセージ方式を用いることを特徴とする請求項３６に記載の施錠開錠指示プログラム。
【請求項３８】
前記鍵開閉装置との間の近距離通信方式として、非接触ＩＣタグ通信方式、Ｂｌｕｅｔｏｏｔｈ通信方式、ＩｒＤＡ（Infrared  Data  Association）通信方式、ＵＷＢ（Ultra  Wide  Band）通信方式、Ｚｉｇｂｅｅ通信方式のいずれかを用いることを特徴とする請求項３３ないし３７のいずれかに記載の施錠開錠指示プログラム。
【請求項３９】
請求項３３ないし３８のいずれかに記載の施錠開錠指示プログラムをコンピュータによって読み取り可能な記録媒体に記録していることを特徴とするプログラム記録媒体。
【請求項４０】
暗証情報を用いて鍵を開閉する鍵開閉装置の施錠開錠処理プログラムにおいて、利用者により入力された暗証情報により前記鍵を開閉するとともに、前記鍵の施錠時には、入力された前記暗証情報を、近距離通信方式により前記利用者の所持する携帯端末に転送することを特徴とする施錠開錠処理プログラム。
【請求項４１】
暗証情報を用いて鍵を開閉する鍵開閉装置の施錠開錠処理プログラムにおいて、近距離通信方式により転送されてきた暗証情報により、当該鍵開閉装置内の鍵を開閉することを特徴とする施錠開錠処理プログラム。
【請求項４２】
前記鍵開閉装置内の鍵の施錠時に、利用者からの指示によりランダムに生成された暗証情報により前記鍵を施錠するとともに、生成された前記暗証情報を、近距離通信方式により前記利用者の所持する携帯端末に転送することを特徴とする請求項４０または４１に記載の施錠開錠処理プログラム。
【請求項４３】
鍵の施錠時に入力された暗証情報またはランダムに生成された暗証情報または近距離通信方式により転送されてきた暗証情報を保存し、鍵の開錠の際に入力された暗証情報または近距離通信方式により転送されてきた暗証情報と、保存している前記暗証情報とを照合し、一致している場合には、前記鍵開閉装置内の鍵を開錠することを特徴とする請求項４０ないし４２のいずれかに記載の施錠開錠処理プログラム。
【請求項４４】
近距離通信方式により転送されてくる暗証情報が、前記鍵開閉装置内の鍵の開閉に必要とする暗証情報の一部であり、残りの暗証情報を利用者が前記鍵開閉装置に入力することを特徴とする請求項４０ないし４３のいずれかに記載の施錠開錠処理プログラム。
【請求項４５】
前記近距離通信方式として、非接触ＩＣタグ通信方式、Ｂｌｕｅｔｏｏｔｈ通信方式、ＩｒＤＡ（Infrared  Data  Association）通信方式、ＵＷＢ（Ultra  Wide  Band）通信方式、Ｚｉｇｂｅｅ通信方式のいずれかを用いることを特徴とする請求項４０ないし４４のいずれかに記載の施錠開錠処理プログラム。
【請求項４６】
請求項４０ないし４５のいずれかに記載の施錠開錠処理プログラムを、コンピュータによって読み取り可能な記録媒体に記録していることを特徴とするプログラム記録媒体。
【発明の詳細な説明】
【技術分野】
【０００１】
本発明は、施錠開錠システム、携帯端末、鍵開閉装置、施錠開錠方法、施錠開錠指示プログラム、施錠開錠処理プログラムおよびプログラム記録媒体に関する。
【背景技術】
【０００２】
特許文献１の特開２００６-１１９９４７号公報「携帯端末の認証システム」や特許文献２の特開２００８-１３３６３５号公報「入退室管理システム、施設およびセキュリティシステム」や特許文献３の特開２００８-１３８４６７号公報「電気錠システム」等に記載されているように、携帯端末に装備した非接触ＩＣタグの認証機能を利用した施錠開錠システムは既に存在するが、携帯端末固有の識別番号を使用するため、該施錠開錠システムには事前登録が必要であった。かくのごとき事前登録は、許可された不特定多数の人が鍵の施錠や開錠をしようとする場合、不特定多数全員分を事前登録しておかなければならず、また、許可人数の増減がある都度、登録や抹消作業が必要となる。かかる施錠開錠システムは、セキュリティを高度に保つことが可能である一方で、手軽な使用の妨げになり、かつ、管理作業の煩雑さを伴っている。
【０００３】
また、暗証番号として数値記号の組合せで施錠する鍵の場合、暗証番号に相当する数値や記号の桁数が多くなると、記憶し切れないという問題や、メモ転記時および入力時に間違いが発生するという問題がある。一方で、暗証番号の桁数を少なくしてしまうことは悪意の第三者による総当り攻撃で開錠される危険性があるので、一定数以上の桁数にすることは必須である。
【０００４】
また、暗証番号として、あらかじめ設定された固定番号を使うのではなく、番号や桁数が可変または利用者自身で任意の番号に設定することができる場合や、特定個人だけでなく、不特定多数の人が番号を共有する場合、または、施錠者と開錠者とが異なる場合などにおいて暗証番号を正確かつ確実かつ迅速に通知するための手段として有効な仕組みが現在まで存在していない状況にある。
【先行技術文献】
【特許文献】
【０００５】
【特許文献１】特開２００６-１１９９４７号公報（第１０−１２頁）
【特許文献２】特開２００８-１３３６３５号公報（第７−９頁）
【特許文献３】特開２００８-１３８４６７号公報（第６−７頁）
【発明の概要】
【発明が解決しようとする課題】
【０００６】
前述したように、従来技術の非接触ＩＣタグの認証機能を利用した施錠開錠システムには問題があった。
【０００７】
本発明はかかる事情に鑑みてなされたものであり、本発明の目的は、本人認証のための事前登録を必要せず、暗証情報を手入力する際のボタン操作用の手軽さと信頼性とを維持しながら、本施錠開錠システムとしてどの鍵に対しても近距離通信機能例えば非接触ＩＣタグを使用して施錠開錠を行うことが可能な仕組みと、そのときに使用した暗証番号を正確かつ確実かつ迅速に開錠操作を必要とする開錠者に対して通知する仕組みとを提供することにある。
【課題を解決するための手段】
【０００８】
前述の課題を解決するため、本発明による施錠開錠システムは、次のような特徴的な構成を採用している。
【０００９】
（１）暗証情報を用いて鍵開閉装置内の鍵を開閉する施錠開錠システムにおいて、前記鍵開閉装置に暗証情報を入力する暗証情報入力手段と近距離通信を行う装置側通信手段とを備え、かつ、利用者の携帯端末に当該鍵開閉装置の前記装置側通信手段と近距離通信を行う端末側通信手段を備え、利用者により前記暗証情報入力手段から入力された暗証情報により前記鍵を開閉するとともに、前記鍵の施錠時には、入力された前記暗証情報を、前記装置側通信手段を介して、前記利用者の所持する前記携帯端末に転送する施錠開錠システム。
【発明の効果】
【００１０】
本発明の施錠開錠システム、携帯端末、鍵開閉装置、施錠開錠方法、施錠開錠指示プログラム、施錠開錠処理プログラムおよびプログラム記録媒体によれば、以下のような効果を奏することができる。
【００１１】
第１の効果は、鍵の施錠・開錠用の暗証情報（例えば暗証番号）として携帯端末（例えば携帯電話機）の固有番号による認証を行うのではなく、暗証情報（例えば暗証番号）そのものを施錠者が任意に設定して、必要に応じて、開錠操作を必要とする他人(開錠者)に対して転送する仕組みを用いているので、鍵開閉装置の鍵および携帯端末（例えば携帯電話機）等をあらかじめ認証登録しておく必要がないことにある。したがって、本発明の施錠開錠システムであれば、事前登録することなく、如何なる鍵、如何なる携帯端末であっても汎用的に使用することができる。
【００１２】
第２の効果は、暗証情報入力方式の鍵開閉装置において、暗証情報入力機器（例えば暗証番号入力装置）に対して、直接、暗証情報（例えば暗証番号）を入力しなくても、開錠者の携帯端末（例えば携帯電話機）に対して事前に転送しておいた暗証情報（例えば暗証番号）を近距離通信機能（例えば非接触ＩＣタグ用の通信機能）を用いて入力することができるので、開錠時に、暗証情報（例えば暗証番号）の鍵開閉装置への入力時のもたつきや間違いがなくなることにある。したがって、鍵開閉装置の前での滞在時間を短くすることができる。つまり、鍵開閉装置を素早く開錠させることができる。また、施錠の都度、任意に設定した暗証情報を施錠者の携帯端末（例えば携帯電話機）に記録させて残すことができるので、施錠の都度変更される暗証情報であっても、施錠者本人が記憶しておくことは必要ではなく、開錠時に、携帯端末（例えば携帯電話機）を用いて確実に開錠させることができる。
【００１３】
第３の効果は、施錠時に決定した暗証情報（例えば暗証番号）を施錠者本人以外の開錠者に対して通知する方法として、施錠者や開錠者が所有する携帯端末（例えば携帯電話機）に備えられている携帯端末間通信機能（例えば電子メール（Ｅ−Ｍａｉｌ）機能）を用いて暗証情報（例えば暗証番号）を通知することができることにある。したがって、暗証情報（例えば暗証番号）が通知された開錠者も施錠者と同様に素早く開錠を行うことができることである。さらには、施錠の都度、開錠者を限定することができるという特徴も合わせ持つことが可能となる。
【図面の簡単な説明】
【００１４】
【図１】本発明に係る施錠開錠システムのシステム構成の一例を示すシステム構成図である。
【図２】図１に示す施錠開錠システムの動作の一例を示すフローチャートである。
【図３】図１に示す施錠開錠システムの動作の図２とは異なる例を示すフローチャートである。
【発明を実施するための形態】
【００１５】
以下、本発明による施錠開錠システム、携帯端末、鍵開閉装置、施錠開錠方法、施錠開錠指示プログラム、施錠開錠処理プログラムおよびプログラム記録媒体の好適な実施例について添付図を参照して説明する。なお、以下の説明においては、本発明による施錠開錠システム、携帯端末、鍵開閉装置および施錠開錠方法について説明するが、かかる施錠開錠方法を携帯端末側のコンピュータにより実行可能な施錠開錠指示プログラム、鍵開閉装置側のコンピュータにより実行可能な施錠開錠処理プログラムプログラムとして実施するようにしても良いし、あるいは、施錠開錠指示プログラム、施錠開錠処理プログラムそれぞれをコンピュータにより読み取り可能な記録媒体に記録するようにしても良いことは言うまでもない。
【００１６】
なお、以下の説明においては、携帯端末と鍵開閉装置との間の近距離通信を行う手段として非接触ＩＣ(Integrated  Circuit)タグによる通信方式を用いる場合を例にとって説明するが、本発明はかかる場合に限るものではなく、近距離通信を行うことが可能な通信方式であれば如何なる通信方式を用いても構わない。また、近距離通信用として前述のような非接触ＩＣタグを内蔵または外付けした携帯端末として、携帯電話機の場合を例にとって説明するが、本発明は携帯電話機に限るものではなく、例えば、ＰＨＳ（Personal  Handy−Phone  System）端末、ＰＤＡ（Personal  Digital  Assistants：携帯情報端末）、携帯ノートＰＣ（Personal  Computer）等、非接触ＩＣタグを内蔵または外付けしている携帯端末であれば如何なる端末であっても構わない。
【００１７】
（本発明の特徴）
本発明の実施形態の説明に先立って、本発明の特徴についてその概要をまず説明する。本発明は、鍵の施錠時に暗証情報として設定した数値や記号の組合せと同一の暗証情報を入力することにより、鍵を開錠する施錠開錠システムにおいて、人の記憶やメモへの転記に頼らず、携帯電話機等の携帯端末に装備された近距離通信機能例えば非接触ＩＣ(Integrated  Circuit)タグの通信機能を用いて鍵開閉装置との間で施錠・開錠に関する情報を交換する仕組みと、携帯端末間の通信機能例えば電子メール（Ｅ−Ｍａｉｌ）等の通信機能を介して、正確かつ確実かつ迅速に、暗証情報を、開錠操作を必要とする相手（開錠者）に対して伝達する仕組みと、を備えていることを特徴としている。つまり、本発明は、近距離通信機能例えば非接触ＩＣタグが通常備えている固有の認証機能を使用するものではなく、非接触ＩＣタグとしての認証機能そのものにより直接的に開錠施錠を行うことは規定しない。つまり、本発明は、暗証情報となる数値、文字、記号を入力する仕組みと、暗証情報を必要とする開錠者と交換、伝達する仕組みとについて定義するものである。
【００１８】
すなわち、本発明は、鍵の施錠・開錠において次のような仕組みを備えている。
【００１９】
（施錠の仕組み）
通信機能を有する携帯端末（携帯電話機やＰＨＳ端末やＰＤＡやパソコンなど）に内蔵または外付け装置により連携された非接触ＩＣタグを介して、施錠時に、暗証情報（数字、文字、記号、それらの組合せ）の読み取りと確定、または、書き込みと確定を行う仕組みと、さらには、確定した暗証情報（数字、文字、記号、それらの組合せ）を、必要とする開錠者に対して送信する動作を電子メール（Ｅ−Ｍａｉｌ）等の通信手段により自動的に行う仕組みとを備えている。
【００２０】
ここでいう暗証情報の読み取りと確定とは、鍵開閉装置側の暗証情報入力装置（例えば暗証番号入力装置）で暗証情報（数字、文字、記号、それらの組合せ）として入力した情報を、携帯端末に内蔵または外付けした非接触ＩＣタグを介して携帯端末に転送したとき、当該暗証情報が鍵開閉用として確定し、施錠が行われることを意味する。また、暗証番号の書き込みと確定とは、携帯端末側で暗証情報（数字、文字、記号、それらの組合せ）として入力した情報を、携帯端末に内蔵または外付けした非接触ＩＣタグを介して鍵開閉装置に転送したとき、当該暗証番号でもって施錠を行うことを意味する。
【００２１】
（開錠の仕組み）
開錠者（施錠者本人の場合も含む）は電子メール（Ｅ−Ｍａｉｌ）等の通信手段により施錠者からの電子メール（Ｅ−Ｍａｉｌ）等による通信情報を受信することによって、鍵開閉装置の施錠・開錠用の暗証情報（数字、文字、記号、それらの組合せ）を受け取ることができる。受信した暗証情報を開錠者の受信端末である携帯端末に内蔵または外付けした非接触ＩＣタグを使って、対象となる鍵開閉装置に転送することにより、当該鍵開閉装置を開錠することができる。
【００２２】
つまり、暗証情報は、受信端末の携帯端末固有の識別番号等を使った認証機能として鍵開閉装置と通信するのではなく、通常の手入力によるキー番号押下と同等の信号として受信した情報を使って鍵開閉装置と通信するものである。このため、鍵開閉装置には信号変換装置を導入する。鍵開閉装置は受信した信号を変換した情報と施錠時にあらかじめ設定されていた暗証情報とが一致した場合に開錠する。
【００２３】
ただし、従来の暗証情報入力装置（例えば番号入力装置）を介した手作業による暗証情報の入力の場合であっても構わなく、本発明による暗証情報転送機能により暗証情報が入力される場合と手作業により入力される場合との入力過程の違いを区別しない。さらに、例えば、あえて、鍵開閉装置が要求する桁数よりも１桁少ない情報を設定して情報転送機能により鍵開閉装置に転送し、最後の１桁だけを手作業で鍵開閉装置に入力することも許容する。
【００２４】
（実施形態の構成例）
次に、本発明に係る施錠開錠システムのシステム構成の一例を、図１を用いて説明する。図１は、本発明に係る施錠開錠システムのシステム構成の一例を示すシステム構成図である。図１においては、施錠者、開錠者が所持する携帯端末が、それぞれ、携帯電話機１０，２０であり、両者の携帯電話機１０，２０間で情報を交換する通信手段がメールサーバ４０を介した電子メール（Ｅ−Ｍａｉｌ）であり、かつ、鍵開閉装置３０の鍵の施錠・開錠に用いる暗証情報（数字、文字、記号、もしくは、それらの組合せ）として、数字情報からなる暗証番号を用いる場合について説明している。また、携帯電話機１０，２０と鍵開閉装置３０との間で暗証情報（数字、文字、記号、もしくは、それらの組合せ）を送受信するための近距離通信方式として、非接触ＩＣタグによる通信方式を用いる場合を示している。
【００２５】
施錠側の携帯電話機１０には、鍵開閉装置３０との間で鍵の施錠用として用いる暗証番号を暗証番号信号として送受信するための近距離通信用の端末側通信手段として非接触ＩＣタグ１１が実装（内蔵、外付けを問わない）されている。また、鍵開閉装置３０や開錠者側の携帯電話機２０との間で送受信する暗証番号を制御するための鍵交換機能１２と、暗証番号を開錠者側の携帯電話機２０に送信するための暗証番号送受信機能１３（メール機能等）とが組み込まれている。
【００２６】
一方、開錠者側の携帯電話機２０にも、施錠者側の携帯電話機１０と同様に、非接触ＩＣタグ２１、鍵交換機能２２、暗証番号送受信機能２３（メール機能等）が組み込まれている。
【００２７】
また、鍵開閉装置３０には、従来の鍵開閉装置と同様に、暗証情報入力手段として手作業で暗証番号を入力するための数値ボタンや数値キー等からなる番号入力装置３１、実際に施錠開錠を行うための施錠開錠装置３４が備えられている。これに加え、本実施形態においては、本発明に特有の暗証番号信号の送受信部となる近距離通信用の装置側通信手段の非接触ＩＣチップ通信機能３２と、非接触ＩＣチップ通信機能３２にて受信した暗証番号信号を番号入力装置３１から入力した暗証番号の情報と等価の情報に変換する受信番号信号変換装置３３が装備されている。
【００２８】
図１の施錠開錠システムにおいて、鍵開閉装置３０内の施錠開錠装置３４の施錠・開錠用の暗証番号信号は、非接触ＩＣタグ信号として、携帯電話機１０，２０等の携帯端末と鍵開閉装置３０との間でやり取りされ、鍵開閉装置３０内の受信番号信号変換装置３３によって施錠開錠装置３４の鍵の施錠・開錠に使用される暗証番号に変換される。また、施錠者側の携帯電話機１０に入力された暗証番号は、携帯電話機１０，２０等の携帯端末間の通信機能の一つである電子メール（Ｅ−Ｍａｉｌ）機能を使用して、施錠者側の携帯電話機１０から開錠者側の携帯電話機２０に送信される。
【００２９】
かくのごとく、本実施形態においは、本来、手入力であった暗証番号を、非接触ＩＣタグ信号用の暗証番号信号として、非接触ＩＣタグ１１，２１、非接触ＩＣチップ通信機能３２を介して、やり取りをしているので、暗証番号が桁数の多い番号であっても、あるいは、変更頻度が多い暗証番号であっても、正確かつ短時間に、施錠開錠対象の鍵に対して、当該暗証番号を入力することができる。かつ、携帯電話機１０の暗証番号送受信機能１３という通信機能（本実施形態では電子メール機能）を用いて、施錠者が必要な相手として決定した開錠者の携帯電話機２０に対して、当該施錠者が設定した暗証番号に関する情報を通知することができる。
【００３０】
（実施形態の動作の説明）
次に、図１に示す施錠開錠システムの動作について、鍵開閉装置３０側の番号入力装置３１を使って暗証番号を入力することによって施錠する場合の動作の一例を、図２に示すフローチャートを使用して説明する。図２は、図１に示す施錠開錠システムの動作の一例を示すフローチャートであり、施錠者と開錠者とが異なる場合の例を示すが、施錠者と開錠者とが同一であっても、施錠開錠システムとしての動作については同一である。
【００３１】
図２のフローチャートにおいて、まず、施錠者Ａは、当該施錠者Ａの携帯電話機１０の鍵交換機能１２を呼び出して、施錠モードに設定して、必要となる開錠対象者として開錠者Ｂを設定する（ステップＳ００１）。該開錠対象者は、１人に限らず、複数人設定することも可能である。
【００３２】
次に、施錠者Ａは、鍵開閉装置３０に設置されている番号入力装置３１を用いて、施錠開錠装置３４の鍵を施錠開錠するための暗証番号として、任意の番号を入力する（ステップＳ００２）。なお、例えば、施錠を行う都度、暗証番号が変わる方式を適用しようとする場合には、ここで、暗証番号としての番号を人手では入力しないことにして、利用者からの指示により鍵開閉装置３０の暗証情報生成手段によりランダムに生成される値を施錠開錠用の暗証番号として使うようにしても良い。
【００３３】
暗証番号を入力した施錠者は、または、鍵開閉装置３０でランダムに生成される暗証番号を取得しようとする施錠者は、携帯電話機１０の非接触ＩＣタグ１１を鍵開閉装置３０の非接触ＩＣチップ通信機能３２上にかざす。これにより、番号入力装置３１で入力した暗証番号による施錠が施錠開錠装置３４により行われ、当該暗証番号が確定する。同時に、鍵開閉装置３０の非接触ＩＣチップ通信機能３２から携帯電話機１０の非接触ＩＣタグ１１に対して、番号入力装置３１で入力した暗証番号または鍵開閉装置３０内でランダムに生成した暗証番号が転送される（ステップＳ００３）。
【００３４】
暗証番号が転送されてきた携帯電話機１０は、転送されてきた暗証番号を鍵交換機能１２によって読み取り、読み取った暗証番号を、暗証番号送受信機能１３により、ステップＳ００１において設定していた開錠者Ｂの携帯電話機２０に対して送信する（ステップＳ００４）。暗証番号を開錠者Ｂの携帯電話機２０に送信する暗証番号送受信機能１３は、電子メール（Ｅ−Ｍａｉｌ）機能やＰＵＳＨ（プッシュ）メッセージ機能など、通常の携帯端末が有している機能を使用する。暗証番号送受信機能１３の実装は、アプリケーションに依存するが、ここでは、メールサーバ４０を介して送受信する電子メール（Ｅ−Ｍａｉｌ）機能を用いて送信したものとする。
【００３５】
以上で、鍵開閉装置３０の施錠開錠装置３４の鍵を施錠する動作が完了する。次に、鍵開閉装置３０の施錠開錠装置３４の鍵を開錠する動作について説明する。
【００３６】
図２のフローチャートにおいて、開錠者Ｂの携帯電話機２０は、電子メール（Ｅ−Ｍａｉｌ）機能を用いた暗証番号送受信機能２３によって、施錠者Ａの携帯電話機１０から送信されてきた暗証番号を受信する（ステップＳ００５）。
【００３７】
開錠者Ｂは、当該開錠者Ｂの携帯電話機２０の鍵交換機能２２を呼び出し、開錠モードに設定して、受信した暗証番号を読み込む。さらに、必要に応じて、受信した暗証番号の再編集を行う（ステップＳ００６）。
【００３８】
次いで、開錠者Ｂは、携帯電話機２０の非接触ＩＣタグ２１を鍵開閉装置３０の非接触ＩＣチップ通信機能３２上にかざす。これにより、携帯電話機２０の鍵交換機能２２に読み込まれていた暗証番号が、非接触ＩＣタグ通信用の暗証番号信号として鍵開閉装置３０に転送される（ステップＳ００７）。
【００３９】
鍵開閉装置３０は、携帯電話機２０から転送されてきた暗証番号信号を、受信番号信号変換装置３３を用いて番号入力装置３１から入力されたときの暗証番号と等価な情報に変換して、施錠開錠装置３４に入力する（ステップＳ００８）。
【００４０】
受信番号信号変換装置３３にて変換された暗証番号が施錠時における暗証番号と一致した場合であれば（ステップＳ０１０の「一致」の場合）、施錠開錠装置３４は開錠する。一方、両者の番号が不一致の場合は（ステップＳ０１０の「不一致」の場合）、ステップＳ００６に戻り、暗証番号の再読み取りや再編集を行い、ステップＳ００７以降の処理を繰り返す。
【００４１】
あるいは、開錠者Ｂが、従来方式のように、手作業で番号入力装置３１から開錠用の暗証番号を入力する場合は、ステップＳ００６からステップＳ００８の代わりに、番号入力装置３１により開錠用の暗証番号を入力する（ステップＳ００９）。したがって、手作業で暗証番号を入力した場合に、施錠時における暗証番号と不一致であった場合は、ステップＳ００９以降の手順を繰り返す。
【００４２】
なお、開錠者Ｂは、施錠時の暗証番号と一致しなかった場合のように、携帯電話機２０の鍵交換機能２２に読み込んでおいた施錠者Ａからの暗証番号の一部を変更したい場合には、ステップＳ００６において、鍵交換機能２２に読み込んでおいた暗証番号を再編集して、再度、ステップＳ００７において、携帯電話機２０の非接触ＩＣタグ２１を鍵開閉装置３０の非接触ＩＣチップ通信機能３２上にかざすことが可能である。あるいは、ステップＳ００６において、鍵交換機能２２に読み込んでおいた暗証番号を再編集する際に、当該暗証番号の一部の桁を削除して、削除した当該桁に関する暗証番号を、手作業で番号入力装置３１から入力するようにすることも可能である。
【００４３】
なお、本実施形態においては、非接触ＩＣタグ１１，２１を使用して鍵開閉装置３０側と通信を行っているが、近距離通信のための代替通信手段の如何は問わないので、例えば、汎用的な近距離通信方式であるＢｌｕｅｔｏｏｔｈや赤外線通信のＩｒＤＡ（Infrared  Data  Association）、または、高速通信が可能なＵＷＢ（Ultra  Wide  Band）や低消費電力化、低価格化が可能なＺｉｇｂｅｅ等の他の通信方式の利用するようにしても良い。
【００４４】
（実施形態の効果の説明）
以上に詳細に説明したように、本実施形態においては、以下に記載するような効果を奏することができる。
【００４５】
第１の効果は、鍵の施錠・開錠用の暗証情報（例えば暗証番号）として携帯端末（例えば携帯電話機１０，２０）の固有番号による認証を行うのではなく、暗証情報（例えば暗証番号）そのものを施錠者が任意に設定して、必要に応じて、開錠操作を必要とする他人（開錠者）に対して転送する仕組みを用いているので、鍵開閉装置３０の鍵および携帯端末（例えば携帯電話機１０，２０）等をあらかじめ認証登録しておく必要がないことにある。したがって、本実施形態を採用した施錠開錠システムであれば、事前登録することなく、如何なる鍵、如何なる携帯端末であっても汎用的に使用することができる。
【００４６】
第２の効果は、暗証情報入力方式の鍵開閉装置３０において、暗証情報入力機器（例えば番号入力装置３１）に対して、直接、暗証情報（例えば暗証番号）を入力しなくても、開錠者Ｂの携帯端末（例えば携帯電話機２０）に対して事前に転送しておいた暗証情報（例えば暗証番号）を近距離通信機能（例えば非接触ＩＣタグ用の通信機能）を用いて入力することができるので、開錠時に、暗証情報（例えば暗証番号）の鍵開閉装置３０への入力時のもたつきや間違いがなくなることにある。したがって、鍵開閉装置３０の前での滞在時間を短くすることができる。つまり、鍵開閉装置３０を素早く開錠させることができる。また、施錠の都度、任意に設定した暗証情報を施錠者の携帯端末（例えば携帯電話機１０）に記録させて残すことができるので、施錠の都度変更される暗証情報であっても、施錠者本人が記憶しておくことは必要ではなく、開錠時に、携帯端末（例えば施錠者の携帯電話機１０や開錠者の携帯電話機２０）を用いて鍵開閉装置３０を確実に開錠させることができる。
【００４７】
第３の効果は、施錠時に決定した暗証情報（例えば暗証番号）を施錠者Ａ本人以外の開錠者Ｂに対して通知する方法として、施錠者Ａや開錠者Ｂが所有する携帯端末（例えば携帯電話機１０，２０）に備えられている通信機能（例えば電子メール（Ｅ−Ｍａｉｌ）機能）を用いて暗証情報（例えば暗証番号）を通知することができることにある。したがって、暗証情報（例えば暗証番号）が通知された開錠者Ｂも施錠者Ａと同様に素早く開錠を行うことができることである。さらには、施錠の都度、開錠者Ｂを限定することができるという特徴も合わせ持つことが可能となる。
【００４８】
（本発明の他の実施形態）
次に、本発明の他の実施形態について説明する。本発明の他の実施形態においても、その基本的構成は、前述した実施形態と同様であるが、暗証番号の入力方法について前述の実施形態とは異なる方法を用いている。つまり、本実施形態においては、鍵の施錠開錠用の暗証情報の一例である暗証番号を入力する装置として、鍵開閉装置３０側の番号入力装置３１を用いる代わりに、施錠者Ａの携帯電話機１０の数値キーを使用する場合を示している。
【００４９】
図３は、図１に示す施錠開錠システムの動作の図２とは異なる例を示すフローチャートであり、図２の場合と同様、施錠者と開錠者とが異なる場合の例を示すが、施錠者と開錠者とが同一であっても、施錠開錠システムとしての動作については同一である。なお、暗証番号を新たに入力する代わりに、施錠者Ａの携帯電話機１０にあらかじめ格納しておいた暗証番号を用いるようにしても良い。
【００５０】
図３のフローチャートにおいて、まず、施錠者Ａは、図２の場合と同様、当該施錠者Ａの携帯電話機１０の鍵交換機能１２を呼び出して、施錠モードに設定して、必要となる開錠対象者として開錠者Ｂを設定する（ステップＳ１０１）。該開錠対象者は、１人に限らず、複数人設定することも可能である。
【００５１】
次に、施錠者Ａは、図２の場合とは異なり、鍵開閉装置３０の番号入力装置３１を用いる代わりに、当該施錠者Ａの携帯電話機１０の数値キーを用いて、鍵交換機能１２に対して、施錠開錠装置３４の鍵を施錠開錠するための暗証番号として、任意の番号を入力する（ステップＳ１０２）。または、携帯電話機１０にあらかじめ格納されている暗証番号を呼び出して鍵交換機能１２に設定するようにしても良い。また、例えば、施錠を行う都度、暗証番号が変わる方式を適用しようとする場合には、ここで、暗証番号としての番号を数値キーからは入力しないことにして、利用者からの指示により携帯電話機１０の暗証情報生成手段により生成されるランダムな値を施錠開錠用の暗証番号として使うようにしても良い。
【００５２】
暗証番号を入力した施錠者は、または、携帯電話機１０でランダムに生成された暗証番号を取得した施錠者は、図２の場合と同様、携帯電話機１０の非接触ＩＣタグ１１を鍵開閉装置３０の非接触ＩＣチップ通信機能３２上にかざす。その結果、携帯電話機１０の非接触ＩＣタグ１１から鍵開閉装置３０の非接触ＩＣチップ通信機能３２に対して、ステップＳ１０２にて鍵交換機能１２に設定した暗証番号が転送される（ステップＳ１０３）。これにより、ステップＳ１０２にて鍵交換機能１２に設定した暗証番号による施錠が施錠開錠装置３４により行われ、当該暗証番号が確定する。
【００５３】
さらに、携帯電話機１０は、鍵交換機能１２に設定した暗証番号を、暗証番号送受信機能１３により、ステップＳ１０１において設定していた開錠者Ｂの携帯電話機２０に対して送信する（ステップＳ１０４）。暗証番号を開錠者Ｂの携帯電話機２０に送信する暗証番号送受信機能１３は、図２の場合と同様、電子メール（Ｅ−Ｍａｉｌ）機能やＰＵＳＨ（プッシュ）メッセージ機能など、通常の携帯端末が有している機能を使用する。暗証番号送受信機能１３の実装は、アプリケーションに依存するが、ここでは、メールサーバ４０を介して送受信する電子メール（Ｅ−Ｍａｉｌ）機能を用いて送信したものとする。
【００５４】
以上で、鍵開閉装置３０の施錠開錠装置３４の鍵を施錠する動作が完了する。次に、鍵開閉装置３０の施錠開錠装置３４の鍵を開錠する動作について説明する。
【００５５】
図３のフローチャートにおいて、開錠者Ｂの携帯電話機２０は、図２の場合と同様、電子メール（Ｅ−Ｍａｉｌ）機能を用いた暗証番号送受信機能２３によって、施錠者Ａの携帯電話機１０から送信されてきた暗証番号を受信する（ステップＳ１０５）。
【００５６】
開錠者Ｂは、図２の場合と同様、当該開錠者Ｂの携帯電話機２０の鍵交換機能２２を呼び出し、開錠モードに設定して、受信した暗証番号を読み込む。さらに、必要に応じて、受信した暗証番号の再編集を行う（ステップＳ１０６）。
【００５７】
次いで、開錠者Ｂは、図２の場合と同様、携帯電話機２０の非接触ＩＣタグ２１を鍵開閉装置３０の非接触ＩＣチップ通信機能３２上にかざす。これにより、携帯電話機２０の鍵交換機能２２に読み込まれていた暗証番号が、非接触ＩＣタグ通信用の暗証番号信号として鍵開閉装置３０に転送される（ステップＳ１０７）。
【００５８】
鍵開閉装置３０は、携帯電話機２０から転送されてきた暗証番号信号を、図２の場合と同様、受信番号信号変換装置３３を用いて番号入力装置３１から入力されたときの暗証番号と等価な情報に変換して、施錠開錠装置３４に入力する（ステップＳ１０８）。
【００５９】
受信番号信号変換装置３３にて変換された暗証番号が施錠時における暗証番号と一致した場合であれば（ステップＳ１１０の「一致」の場合）、図２の場合と同様、施錠開錠装置３４は開錠する。一方、両者の番号が不一致の場合は（ステップＳ１１０の「不一致」の場合）、ステップＳ１０６に戻り、図２の場合と同様、暗証番号の再読み取りや再編集を行い、ステップＳ１０７以降の処理を繰り返す。
【００６０】
あるいは、開錠者Ｂが、従来方式のように、手作業で番号入力装置３１から開錠用の暗証番号を入力する場合は、ステップＳ１０６からステップＳ１０８の代わりに、番号入力装置３１により開錠用の暗証番号を入力する（ステップＳ１０９）。したがって、手作業で暗証番号を入力した場合に、施錠時における暗証番号と不一致であった場合は、ステップＳ１０９以降の手順を繰り返す。
【００６１】
なお、開錠者Ｂは、施錠時の暗証番号と一致しなかった場合のように、携帯電話機２０の鍵交換機能２２に読み込んでおいた施錠者Ａからの暗証番号の一部を変更したい場合には、ステップＳ１０６において、鍵交換機能２２に読み込んでおいた暗証番号を再編集して、再度、ステップＳ１０７において、携帯電話機２０の非接触ＩＣタグ２１を鍵開閉装置３０の非接触ＩＣチップ通信機能３２上にかざすことが可能である。あるいは、ステップＳ１０６において、鍵交換機能２２に読み込んでおいた暗証番号を再編集する際に、当該暗証番号の一部の桁を削除して、削除した当該桁に関する暗証番号を、手作業で番号入力装置３１から入力するようにすることも可能である。
【００６２】
以上のように、図３に示す本実施形態の動作例においては、施錠者Ａの携帯電話機１０側で設定した暗証番号を使って、開錠だけでなく施錠も行うことが可能であり、図３のステップ１０９のような手作業による入力操作を行わない前提であれば、鍵開閉装置３０側の暗証番号入力手段である番号入力装置３１を削除することができるという効果が得られる。
【００６３】
また、本実施形態においても、非接触ＩＣタグ１１，２１を使用して鍵開閉装置３０側と通信を行っているが、図２の場合と同様、近距離通信のための代替通信手段の如何は問わないので、例えば、汎用的な近距離通信方式であるＢｌｕｅｔｏｏｔｈや赤外線通信のＩｒＤＡ（Infrared  Data  Association）、または、高速通信が可能なＵＷＢ（Ultra  Wide  Band）や低消費電力化、低価格化が可能なＺｉｇｂｅｅ等の他の通信方式の利用するようにしても良い。
【００６４】
特に、本発明によれば、物理的な鍵を有さず、暗証番号の入力により施錠開錠する電子ロック機構を備えた鍵開閉装置と、携帯電話機等の通信機能付き携帯端末に近距離通信用の機能例えば非接触ＩＣタグ機能を装備した装置との組合せにより利用する施錠開錠システムに好適に適用することができる。さらには、暗証番号としては、桁数が多い番号体系を利用する場合や、変更頻度が多い番号を利用する場合にも有効であり、また、鍵開閉装置の設置場所として、施錠者とは異なる開錠者も利用する場所、あるいは、不特定多数が利用する場所に設置される場合にも好適に適用することができる。
【００６５】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）暗証情報を用いて鍵開閉装置内の鍵を開閉する施錠開錠システムにおいて、前記鍵開閉装置に近距離通信を行う装置側通信手段を備え、かつ、利用者の携帯端末に当該鍵開閉装置の前記装置側通信手段と近距離通信を行う端末側通信手段を備え、利用者により前記携帯端末に入力された暗証情報、または、前記携帯端末に保持されている暗証情報を、前記端末側通信手段を介して、前記鍵開閉装置に転送することにより、当該鍵開閉装置内の鍵を開閉する施錠開錠システム。
（３）前記鍵開閉装置に利用者からの指示によりランダムな暗証情報を生成する暗証情報生成手段を備え、当該鍵開閉装置内の鍵の施錠時に、利用者からの指示により前記暗証情報生成手段により生成された暗証情報により前記鍵を施錠するとともに、生成された前記暗証情報を、前記装置側通信手段を介して、前記利用者の所持する前記携帯端末に転送する上記（１）または（２）の施錠開錠システム。
（４）前記携帯端末に利用者からの指示によりランダムな暗証情報を生成する暗証情報生成手段を備え、前記鍵開閉装置内の鍵の施錠時に、利用者からの指示により前記暗証情報生成手段により生成された暗証情報を、前記端末側通信手段を介して、前記鍵開閉装置に転送することにより、当該鍵開閉装置内の鍵を施錠する上記（１）ないし（３）のいずれかの施錠開錠システム。
（５）前記携帯端末は、他の携帯端末と通信する携帯端末間通信手段を備え、前記鍵開閉装置から転送されてきた暗証情報または当該携帯端末に入力した暗証情報または当該携帯端末にてランダムに生成された暗証情報または当該携帯端末に保持されている暗証情報を、当該携帯端末の利用者が開錠者としてあらかじめ指定した他の利用者の携帯端末に対して、前記携帯端末間通信手段を用いて転送する上記（１）ないし（４）のいずれかの施錠開錠システム。
（６）前記携帯端末間通信手段として、電子メール機能またはプッシュメッセージ機能を用いる上記（５）の施錠開錠システム。
（７）前記鍵開閉装置は、鍵の施錠時に前記暗証情報入力手段から入力された暗証情報またはランダムに生成された暗証情報または前記携帯端末から転送されてきた暗証情報を保存し、鍵の開錠の際に前記暗証情報入力手段から入力された暗証情報または前記携帯端末から転送されてきた暗証情報と、保存している前記暗証情報とを照合し、一致している場合には、当該鍵開閉装置内の鍵を開錠する上記（１）ないし（６）のいずれかの施錠開錠システム。
（８）前記携帯端末から前記端末側通信手段を介して前記鍵開閉装置に転送する暗証情報が、前記鍵開閉装置内の鍵の開閉に必要とする暗証情報の一部であり、残りの暗証情報を利用者が当該鍵開閉装置の暗証情報入力手段から入力する上記（１）ないし（７）のいずれかの施錠開錠システム。
（９）前記鍵開閉装置と前記携帯端末との間で近距離通信を行う通信方式として、非接触ＩＣタグ通信方式、Ｂｌｕｅｔｏｏｔｈ通信方式、ＩｒＤＡ（Infrared  Data  Association）通信方式、ＵＷＢ（Ultra  Wide  Band）通信方式、Ｚｉｇｂｅｅ通信方式のいずれかを用いる上記（１）ないし（８）のいずれかの施錠開錠システム。
（１０）前記携帯端末が、携帯電話機、ＰＨＳ（Personal  Handy−Phone  System）端末、ＰＤＡ（Personal  Digital  Assistants：携帯情報端末）、携帯ノートＰＣ（Personal  Computer）のいずれかである上記（１）ないし（９）のいずれかの施錠開錠システム。
（１１）暗証情報を用いて鍵を開閉する鍵開閉装置との間で近距離通信を行う端末側通信手段を備えた携帯端末において、前記鍵開閉装置から転送されてくる前記暗証情報を前記端末側通信手段により受信して保持する携帯端末。
（１２）暗証情報を用いて鍵を開閉する鍵開閉装置との間で近距離通信を行う端末側通信手段を備えた携帯端末において、前記鍵開閉装置内の鍵を開閉する際に、利用者により入力された暗証情報、または、当該携帯端末に保持されている暗証情報を、前記端末側通信手段を介して、前記鍵開閉装置に転送する携帯端末。
（１３）利用者からの指示によりランダムな暗証情報を生成する暗証情報生成手段を備え、前記鍵開閉装置内の鍵の施錠時に、利用者からの指示により前記暗証情報生成手段により生成された暗証情報を、保持するとともに、前記端末側通信手段を介して、前記鍵開閉装置に転送する上記（１１）または（１２）の携帯端末。
（１４）他の携帯端末と通信する携帯端末間通信手段を備え、前記鍵開閉装置から転送されてきた暗証情報または当該携帯端末に入力した暗証情報または当該携帯端末にてランダムに生成された暗証情報または当該携帯端末に保持されている暗証情報を、当該携帯端末の利用者が開錠者としてあらかじめ指定した他の利用者の携帯端末に対して、前記携帯端末間通信手段を用いて転送する上記（１１）ないし（１３）のいずれかの携帯端末。
（１５）前記携帯端末間通信手段として、電子メール機能またはプッシュメッセージ機能を用いる上記（１４）の携帯端末。
（１６）前記鍵開閉装置との間で近距離通信を行う通信方式として、非接触ＩＣタグ通信方式、Ｂｌｕｅｔｏｏｔｈ通信方式、ＩｒＤＡ（Infrared  Data  Association）通信方式、ＵＷＢ（Ultra  Wide  Band）通信方式、Ｚｉｇｂｅｅ通信方式のいずれかを用いる上記（１１）ないし（１５）のいずれかの携帯端末。
（１７）当該携帯端末が、携帯電話機、ＰＨＳ（Personal  Handy−Phone  System）端末、ＰＤＡ（Personal  Digital  Assistants：携帯情報端末）、携帯ノートＰＣ（Personal  Computer）のいずれかである上記（１１）ないし（１６）のいずれかの携帯端末。
（１８）暗証情報を用いて鍵を開閉する鍵開閉装置において、暗証情報を入力する暗証情報入力手段と近距離通信を行う装置側通信手段とを備え、利用者により前記暗証情報入力手段から入力された暗証情報により前記鍵を開閉するとともに、前記鍵の施錠時には、入力された前記暗証情報を、前記装置側通信手段を介して、前記利用者の所持する携帯端末に転送する鍵開閉装置。
（１９）暗証情報を用いて鍵を開閉する鍵開閉装置において、前記鍵開閉装置に近距離通信を行う装置側通信手段を備え、前記装置側通信手段を介して転送されてきた暗証情報により、当該鍵開閉装置内の鍵を開閉する鍵開閉装置。
（２０）利用者からの指示によりランダムな暗証情報を生成する暗証情報生成手段を備え、当該鍵開閉装置内の鍵の施錠時に、利用者からの指示により前記暗証情報生成手段により生成された暗証情報により前記鍵を施錠するとともに、生成された前記暗証情報を、前記装置側通信手段を介して、前記利用者の所持する携帯端末に転送する上記（１８）または（１９）の鍵開閉装置。
（２１）鍵の施錠時に前記暗証情報入力手段から入力された暗証情報またはランダムに生成された暗証情報または前記装置側通信手段を介して転送されてきた暗証情報を保存し、鍵の開錠の際に前記暗証情報入力手段から入力された暗証情報または前記装置側通信手段を介して転送されてきた暗証情報と、保存している前記暗証情報とを照合し、一致している場合には、当該鍵開閉装置内の鍵を開錠する上記（１８）ないし（２０）のいずれかの鍵開閉装置。
（２２）前記装置側通信手段を介して転送されてくる暗証情報が、当該鍵開閉装置内の鍵の開閉に必要とする暗証情報の一部であり、残りの暗証情報を利用者が当該鍵開閉装置の暗証情報入力手段から入力する上記（１８）ないし（２１）のいずれかの鍵開閉装置。
（２３）前記装置側通信手段により近距離通信を行う通信方式として、非接触ＩＣタグ通信方式、Ｂｌｕｅｔｏｏｔｈ通信方式、ＩｒＤＡ（Infrared  Data  Association）通信方式、ＵＷＢ（Ultra  Wide  Band）通信方式、Ｚｉｇｂｅｅ通信方式のいずれかを用いる上記（１８）ないし（２２）のいずれかの鍵開閉装置。
（２４）暗証情報を用いて鍵開閉装置内の鍵を開閉する施錠開錠方法であって、利用者により前記鍵開閉装置に入力された暗証情報により前記鍵を開閉するとともに、前記鍵の施錠時には、入力された前記暗証情報を近距離通信方式により前記利用者の所持する携帯端末に転送する施錠開錠方法。
（２５）暗証情報を用いて鍵開閉装置内の鍵を開閉する施錠開錠方法であって、利用者により携帯端末に入力された暗証情報、または、前記携帯端末に保持されている暗証情報を、近距離通信方式により前記鍵開閉装置に転送することにより、当該鍵開閉装置内の鍵を開閉する施錠開錠方法。
（２６）前記鍵開閉装置内の鍵の施錠時に、利用者からの指示により当該鍵開閉装置内でランダムに生成された暗証情報により前記鍵を施錠するとともに、生成された前記暗証情報を、近距離通信方式により前記利用者の所持する前記携帯端末に転送する上記（２４）または（２５）の施錠開錠方法。
（２７）前記鍵開閉装置内の鍵の施錠時に、利用者からの指示により当該利用者の前記携帯端末内でランダムに生成された暗証情報を、近距離通信方式により前記鍵開閉装置に転送することにより、当該鍵開閉装置内の鍵を施錠する上記（２４）ないし（２６）のいずれかの施錠開錠方法。
（２８）前記携帯端末は、前記鍵開閉装置から転送されてきた暗証情報または当該携帯端末に入力した暗証情報または当該携帯端末にてランダムに生成された暗証情報または当該携帯端末に保持されている暗証情報を、当該携帯端末の利用者が開錠者としてあらかじめ指定した他の利用者の携帯端末に対して、携帯端末間通信方式により転送する上記（２４）ないし（２８）のいずれかの施錠開錠方法。
（２９）前記携帯端末間通信方式として、電子メール方式またはプッシュメッセージ方式を用いる上記（２８）の施錠開錠方法。
（３０）前記鍵開閉装置は、鍵の施錠時に入力された暗証情報またはランダムに生成された暗証情報または前記携帯端末から転送されてきた暗証情報を保存し、鍵の開錠の際に入力された暗証情報または前記携帯端末から転送されてきた暗証情報と、保存している前記暗証情報とを照合し、一致している場合には、当該鍵開閉装置内の鍵を開錠する上記（２４）ないし（２９）のいずれかの施錠開錠方法。
（３１）前記携帯端末から近距離通信方式により前記鍵開閉装置に転送する暗証情報が、前記鍵開閉装置内の鍵の開閉に必要とする暗証情報の一部であり、残りの暗証情報を利用者が当該鍵開閉装置に入力する上記（２４）ないし（３０）のいずれかの施錠開錠方法。
（３２）前記鍵開閉装置と前記携帯端末との間の近距離通信方式として、非接触ＩＣタグ通信方式、Ｂｌｕｅｔｏｏｔｈ通信方式、ＩｒＤＡ（Infrared  Data  Association）通信方式、ＵＷＢ（Ultra  Wide  Band）通信方式、Ｚｉｇｂｅｅ通信方式のいずれかを用いる上記（２４）ないし（３１）のいずれかの施錠開錠方法。
（３３）暗証情報を用いて鍵を開閉する鍵開閉装置に対して近距離通信方式により鍵の開閉を指示する携帯端末の施錠開錠指示プログラムにおいて、前記鍵開閉装置から近距離通信方式により転送されてくる前記暗証情報を受信して保持する施錠開錠指示プログラム。
（３４）暗証情報を用いて鍵を開閉する鍵開閉装置に対して近距離通信方式により鍵の開閉を指示する携帯端末の施錠開錠指示プログラムにおいて、前記鍵開閉装置内の鍵を開閉する際に、利用者により入力された暗証情報、または、当該携帯端末に保持されている暗証情報を、近距離通信方式により前記鍵開閉装置に転送する施錠開錠指示プログラム。
（３５）前記鍵開閉装置内の鍵の施錠時に、利用者からの指示によりランダムに生成された暗証情報を、保持するとともに、近距離通信方式により前記鍵開閉装置に転送する上記（３３）または（３４）の施錠開錠指示プログラム。
（３６）前記鍵開閉装置から転送されてきた暗証情報または当該携帯端末に入力した暗証情報または当該携帯端末にてランダムに生成された暗証情報または当該携帯端末に保持されている暗証情報を、当該携帯端末の利用者が開錠者としてあらかじめ指定した他の利用者の携帯端末に対して、携帯端末間通信方式により転送する上記（３３）ないし（３５）のいずれかの施錠開錠指示プログラム。
（３７）前記携帯端末間通信方式として、電子メール方式またはプッシュメッセージ方式を用いる上記（３６）の施錠開錠指示プログラム。
（３８）前記鍵開閉装置との間の近距離通信方式として、非接触ＩＣタグ通信方式、Ｂｌｕｅｔｏｏｔｈ通信方式、ＩｒＤＡ（Infrared  Data  Association）通信方式、ＵＷＢ（Ultra  Wide  Band）通信方式、Ｚｉｇｂｅｅ通信方式のいずれかを用いる上記（３３）ないし（３７）のいずれかの施錠開錠指示プログラム。
（３９）上記（３３）ないし（３８）のいずれかの施錠開錠指示プログラムをコンピュータによって読み取り可能な記録媒体に記録しているプログラム記録媒体。
（４０）暗証情報を用いて鍵を開閉する鍵開閉装置の施錠開錠処理プログラムにおいて、利用者により入力された暗証情報により前記鍵を開閉するとともに、前記鍵の施錠時には、入力された前記暗証情報を、近距離通信方式により前記利用者の所持する携帯端末に転送する施錠開錠処理プログラム。
（４１）暗証情報を用いて鍵を開閉する鍵開閉装置の施錠開錠処理プログラムにおいて、近距離通信方式により転送されてきた暗証情報により、当該鍵開閉装置内の鍵を開閉する施錠開錠処理プログラム。
（４２）前記鍵開閉装置内の鍵の施錠時に、利用者からの指示によりランダムに生成された暗証情報により前記鍵を施錠するとともに、生成された前記暗証情報を、近距離通信方式により前記利用者の所持する携帯端末に転送する上記（４０）または（４１）の施錠開錠処理プログラム。
（４３）鍵の施錠時に入力された暗証情報またはランダムに生成された暗証情報または近距離通信方式により転送されてきた暗証情報を保存し、鍵の開錠の際に入力された暗証情報または近距離通信方式により転送されてきた暗証情報と、保存している前記暗証情報とを照合し、一致している場合には、前記鍵開閉装置内の鍵を開錠する上記（４０）ないし（４２）のいずれかの施錠開錠処理プログラム。
（４４）近距離通信方式により転送されてくる暗証情報が、前記鍵開閉装置内の鍵の開閉に必要とする暗証情報の一部であり、残りの暗証情報を利用者が前記鍵開閉装置に入力する上記（４０）ないし（４３）のいずれかの施錠開錠処理プログラム。
（４５）前記近距離通信方式として、非接触ＩＣタグ通信方式、Ｂｌｕｅｔｏｏｔｈ通信方式、ＩｒＤＡ（Infrared  Data  Association）通信方式、ＵＷＢ（Ultra  Wide  Band）通信方式、Ｚｉｇｂｅｅ通信方式のいずれかを用いる上記（４０）ないし（４４）のいずれかの施錠開錠処理プログラム。
（４６）上記（４０）ないし（４５）のいずれかの施錠開錠処理プログラムを、コンピュータによって読み取り可能な記録媒体に記録しているプログラム記録媒体。
【符号の説明】
【００６６】
１０      携帯電話機
１１      非接触ＩＣタグ
１２      鍵交換機能
１３      暗証番号送受信機能
２０      携帯電話機
２１      非接触ＩＣタグ
２２      鍵交換機能
２３      暗証番号送受信機能
３０      鍵開閉装置
３１      番号入力装置
３２      非接触ＩＣチップ通信機能
３３      受信番号信号変換装置
３４      施錠開錠装置
４０      メールサーバ
【図１】
2010209527.tif 000003
【図２】
2010209527.tif 000004
【図３】
2010209527.tif 000005